(57)【要約】【課題】構造を複雑化しなくても検出感度を高めることが可能な検出構造を実現することにより感振装置の性能を向上させる。【解決手段】本発明の感振装置１００は、保持体１２１と、該保持体に対して定位置に保持されるとともに振動を受けたときに前記定位置の周囲に転動可能に支持された球体１２２と、転動した前記球体の上半部に当接することにより動作可能に支持されたプランジャー１２３と、該プランジャーの動作に応じて接点が開閉可能に構成されてなるスイッチ１２５と、を具備する感振装置において、前記プランジャーには前記定位置を通過する垂直軸線の周りに配置される環状の当接部１２３ａが下方へ向けて突設され、該当接部の少なくとも前記球体が転動する際に当接可能な表面領域内で、かつ、前記半径方向内側から頂点までの範囲が、前記半径方向に凸曲線状の輪郭を有する態様で凸曲面状に構成されてなる。【選択図】図１
2008057978.tif 000002
【特許請求の範囲】
【請求項１】
保持体と、該保持体に対して定位置に保持されるとともに振動を受けたときに前記定位置の周囲に転動可能に支持された球体と、転動した前記球体の上半部に当接することにより動作可能に支持されたプランジャーと、該プランジャーの動作に応じて接点が開閉可能に構成されてなるスイッチと、を具備する感振装置において、
前記プランジャーには前記定位置を通過する垂直軸線の周りに配置される環状の当接部が下方へ向けて突設され、該当接部の少なくとも前記球体が転動する際に当接可能な表面領域内で、かつ、半径方向内側から頂点までの範囲が、前記半径方向に前記球体の表面曲率より大きな曲率を備えた凸曲線状の輪郭を有する態様で凸曲面状に構成されてなることを特徴とする感振装置。
【請求項２】
前記プランジャーは前記当接部の外周側に張り出した鍔部を有し、該鍔部を下方より支持する平坦な支持面を備えた支持枠が設けられ、前記プランジャーは前記支持枠に対して前記半径方向に移動可能に支持されていることを特徴とする請求項１に記載の感振装置。
【請求項３】
前記プランジャーが前記半径方向に移動したときに前記支持枠の内縁部と前記当接部の基部外側部が相互に当接可能に構成され、前記内縁部の前記基部外側部に対する当接部位が斜め上方に向いているか、或いは、前記基部外側部の前記内縁部に対する当接部位が斜め下方に向いていることを特徴とする請求項２に記載の感振装置。
【発明の詳細な説明】
【技術分野】
【０００１】
本発明は感振装置に係り、特に、球体の転動により傾動可能に構成されたプランジャーと、該プランジャーの傾動によって開閉可能に構成された接点を備えたスイッチとを具備する感振装置の構造に関する。
【背景技術】
【０００２】
一般に、ガスメータ等に装備され、地震を検知したことを知らせるための感震装置として、支持体に対して揺動自在に吊り下げられた感震部と、この感震部の揺動を抑制するための制動部とを有するものが知られている。上記の感震部は、例えば、容器内に球体を転動自在に収容するとともに、球体の転動によって上方へ押し上げられるように構成されたプランジャーと、当該プランジャーの動作によって接点が開閉動作するように構成されたスイッチとを含んでなる。ここで、上記の感震部においては、内部ケース内に球体が転動可能に収容されるとともに、この球体の上方にプランジャーが動作可能に支持され、さらに、その上方に接点を備えたスイッチが構成される。そして、地震が発生すると球体が転動してプランジャーに当接して上方へ移動させ、このプランジャーの動作態様に応じてスイッチの接点が開閉するように構成されている。
【０００３】
上記感震装置のプランジャーとしては、球体の表面の曲率よりも小さな曲率の凹曲面状の当接面を備えたもの（例えば、以下の特許文献１参照）、球体の定位置を通過する垂直軸線周りに上下に移動可能となるように支持された複数の小球（例えば、以下の特許文献２参照）などが使用されていた。いずれのプランジャーにおいても、転動によって球体が当接することでプランジャーの当接部分が上方へ持ち上げられ、これによって接点が閉鎖するように構成される。
【０００４】
一方、上記プランジャーに、球体の定位置を通過する垂直軸線の周りに環状の当接用凸部を形成したものも知られている（例えば、以下の特許文献３乃至５参照）。これらの当接用凸部は球体の表面に沿った平坦若しくは凹曲面状の当接面を有し、球体が転動したときに球体が当該当接面に当接してプランジャーを上方へ押し上げるように構成されている。また、環状の当接用凸部が設けられているというよりはむしろプランジャー全体が筒状に構成され、この筒状のプランジャーを球体の上部にかぶせた構造も知られている（例えば、以下の特許文献６乃至８参照）。
【特許文献１】実公平３−５３１３９号公報
【特許文献２】特開２００２−１７４５４８号公報
【特許文献３】特開平３−１７５２１号公報
【特許文献４】特開平６−１６０１６５号公報
【特許文献５】特開平５−２８８５９７号公報
【特許文献６】特開平８−２１９８６３号公報
【特許文献７】特開平８−２１９８６４号公報
【特許文献８】特開平９−４３０４６号公報
【発明の開示】
【発明が解決しようとする課題】
【０００５】
しかしながら、本願発明者らが鋭意検討し、実験した結果、以下の問題点があることが判明した。すなわち、前述の特許文献１に記載のプランジャーは球体に当接する凹曲面状の当接面を有しているため、全方位に亘って均等な感度を得ることができるという利点はあるが、球体の転動時にプランジャーが当接する球体の表面部位が上方から下方へと回動するとともにプランジャーの当接面が凹曲面状に構成されているので、プランジャーが球体の転動方向の応力及び回転方向の摩擦力を受けやすくなることから、球体の転動抵抗が大きくなって検出感度が低くなる。逆に、前述の特許文献２に記載のプランジャーは複数の小球で構成されているため、球体の転動抵抗を抑制することができ、感度が確保しやすいという利点があるが、複数の小球を支持する複雑な支持構造を用意する必要があり、しかも複数の球体に対応する複雑なスイッチ構造が必要となるため、製造コストが増大する。また、小球の数が少ないと検出感度に方位依存性が生ずることも考えられる。
【０００６】
一方、特許文献３乃至５に記載のプランジャーは、当接用凸部の先端面が球体の表面に沿った平坦面若しくは凹曲面となっているために特許文献１と同様に球体が転動方向及び回転方向に力を受けやすく、しかも、安定した傾動動作を実現する目的でプランジャーの外周部が支持体に設けられた環状溝に嵌合した状態で支持されているのでプランジャーの傾動抵抗も大きいことから、球体の転動抵抗を低減しにくい。
【０００７】
さらに、特許文献６乃至８に記載のプランジャーは筒状に構成され、球体を上方から包み込むように設けられていることから球体から転動方向の応力及び回転方向の摩擦力をさらに受けやすくなるので、球体の転動抵抗は上記のものよりもさらに大きくなる。したがって、感度低下を抑制するには、例えば、プランジャーをピボット支持することでその動作抵抗を低減するなどといった複雑な構造が必要になる。
【０００８】
そこで、本発明は上記問題点を解決するものであり、その課題は、構造を複雑化しなくても検出感度を高めることが可能な検出構造を実現することにより感振装置の性能を向上させることにある。
【課題を解決するための手段】
【０００９】
斯かる実情に鑑み、本発明の感振装置は、保持体と、該保持体に対して定位置に保持されるとともに振動を受けたときに前記定位置の周囲に転動可能に支持された球体と、転動した前記球体の上半部に当接することにより動作可能に支持されたプランジャーと、該プランジャーの動作に応じて接点が開閉可能に構成されてなるスイッチと、を具備する感振装置において、前記プランジャーには前記定位置を通過する垂直軸線の周りに配置される環状の当接部が下方へ向けて突設され、該当接部の少なくとも前記球体が転動する際に当接可能な表面領域内で、かつ、前記半径方向内側から頂点までの範囲が、前記半径方向に前記球体の表面曲率より大きな曲率を備えた凸曲線状の輪郭を有する態様で凸曲面状に構成されてなることを特徴とする。
【００１０】
この発明によれば、プランジャーの当接部において、球体が当接しうる表面領域の半径方向内側から頂点までの範囲が半径方向に球体の表面曲率より大きな曲率を備えた凸曲線状の輪郭を有する態様で凸曲面状に構成されていることにより、当接時における球体とプランジャーとの接触面積を低減することができ、プランジャーが球体の転動方向に受ける応力及び回転方向へ受ける摩擦力を低減することができる。特に、球体の転動量が変化しても球体とプランジャーとの接触状態が変化しにくく、転動量が小さいときの摩擦力を従来よりも低減することができる。したがって、球体の転動抵抗が低減されるとともに、球体の転動によるプランジャーの動作をより効率的に生じさせることができるため、振動の検出感度を高めることができる。また、当接部が環状に構成されていることにより、複数の球体をプランジャーとして用いた場合に比べて検出構造を簡易に構成でき、また、検出感度の方位依存性も低減できる。
【００１１】
本発明において、前記プランジャーは前記当接部の外周側に張り出した鍔部を有し、該鍔部を下方より支持する平坦な支持面を備えた支持枠が設けられ、前記プランジャーは前記支持枠に対して前記半径方向に移動可能に支持されていることが好ましい。これによれば、プランジャー及び支持枠の構造を簡易に構成できるため、部品加工及び組み立てが容易になるから、製造コストを低減することができる。また、プランジャーが半径方向にも拘束されていないことから、プランジャーの動作抵抗を低減することができるため、検出感度をさらに高めることができる。
【００１２】
本発明において、前記プランジャーが前記半径方向に移動したときに前記支持枠の内縁部と前記当接部の基部外側部が相互に当接可能に構成され、前記内縁部の前記基部外側部に対する当接部位が斜め上方に向いているか、或いは、前記基部外側部の前記内縁部に対する当接部位が斜め下方に向いていることが好ましい。これによれば、プランジャーが半径方向に移動して当接部の基部外側部が支持枠の内縁部に当接するという事態が生じても、内縁部の当接部位が斜め上方に向き、或いは、基部外側部の当接部位が斜め下方に向いていることにより、プランジャーが支持枠の内縁部から上方へ向かう応力を受けて上方へ押し上げられるから、プランジャーの動作が補助されるように作用するので、プランジャーを介したスイッチの接点開閉動作を確実に実現することができ、検出動作の信頼性を向上させることができる。
【発明を実施するための最良の形態】
【００１３】
以下、本発明の実施の形態を図示例と共に説明する。図１は本発明に係る感振装置１００の縦断面を示す断面斜視図、図２はプランジャーの配置部分を中心として示す縦断面図である。
【００１４】
感振装置１００は、上部に配置された制動部１１０と、下部に配置された感振部１２０とを有し、制動部１１０の下部に感振部１２０が吊り下げられた状態とされている。制動部１１０は、取付姿勢が多少傾斜しても感振部１２０が常に垂直姿勢となるように支持する（自動調芯機能を有する）とともに、外来振動によって感振部１２０が揺動して振動検出の感度が低下しないように制動作用を与えるためのものである。外部へ取り付けるための支持体１１１には制動ケース１１２が固定され、この制動ケース１１２の内部には制動体１１３及び粘性流動体１１４が収容されている。制動体１１３は、例えば、オイル、グリース、粉粒体等からなる粘性流動体１１４より制動力を受けるものであり、制動ケース１１２から下方へ突出する吊り下げ軸１１５と一体若しくは接続固定された状態とされる。なお、図示の制動ケース１１２は上部が開口しているが、実際には適宜の蓋体によって密閉される。
【００１５】
制動ケース１１２、制動体１１３、粘性流動体１１４及び吊り下げ軸１１５の構造は様々なものとすることができるが、図示例の場合には、制動ケース１１２の内部に設けられた環状の収容溝内に粘性流動体１１４が収容され、上記収容溝の内側に吊り下げ軸１１５が揺動可能に軸支される。また、制動ケース１１２にはその内外を連通させる中央開口が設けられている。制動体１１３は中央開口を通して吊り下げ軸１１５と接続されているとともに、上記収容溝内に張り出す環状の制動翼を有している。制動翼は収容溝内の粘性流動体１１４に浸漬された状態とされ、これによって吊り下げ軸１１５が任意の方位へ揺動可能でありながら、外来振動に起因する吊り下げ軸１１５の高速な揺動動作が粘性流動体１１４から受ける制動力によって抑制される。
【００１６】
上記吊り下げ軸１１５の下端は感振部１２０に接続固定されている。感振部１２０は、上記保持体に相当する保持ケース１２１と、この保持ケース１２１の内部において上記定位置（図示中心位置）に保持され、当該定位置の周りに転動可能に配置された球体１２２と、この球体１２２が転動したときに当接可能に構成されたプランジャー１２３と、このプランジャー１２３を傾動可能に支持する支持枠１２４と、プランジャー１２３の動作に応じて接点が開閉可能に構成されたスイッチ１２５とを備えている。
【００１７】
保持ケース１２１の下部内面は球体１２２を定位置に保持するための凹底部１２１ａを中心部に有し、この凹底部１２１ａの周囲に球体１２２を転動可能とする環状の周囲内底面１２１ｂが設けられている。なお、図示例では凹底部１２１ａと周囲内底面１２１ｂによって球体１２２が定位置に保持されつつ、外来振動が伝達されたときに球体１２２が周囲に転動可能となるように構成しているが、本発明はこのような態様に限られない。例えば、上記の保持ケース１２１において、中央部が低く、当該中央部の周囲が上方へ傾斜した逆円錐状の内底面を設けることでも、球体１２２を定位置で保持しつつ周囲に転動可能に構成することもできる。
【００１８】
球体１２２は例えば直径５〜１５ｍｍ程度の鋼球などで構成される。そして、この球体１２２の直径、比重、上記凹底部１２１ａの形状寸法等によって、振動の検出特性、例えば検出感度が決定される。ただし、検出特性は球体１２２及びその転動面によってのみ決定されるものではなく、後述するプランジャー１２３の形状、寸法、動作抵抗等に大きく影響される。
【００１９】
プランジャー１２３は全体として円盤状に構成され、その裏面上には、下方に突出する環状の当接部１２３ａが形成されている。環状の当接部１２３ａは球体１２２の定位置を通過する垂直軸線Ｘの周囲に形成され、その先端面は凸曲面状に構成されている。図示例の場合、当接部１２３ａは垂直軸線Ｘを中心とする円周に沿ったリブ構造を有し、当接部１２３ａの先端部の半径方向に沿った断面は下方に向いた半円状に形成されている。すなわち、当接部１２３ａの先端は内側から半径方向外側へ向けて半円状の輪郭を有する円弧状の表面を有している。また、プランジャー１２３は上記当接部１２３ａの外周側に張り出した鍔部１２３ｂを有し、この鍔部１２３ｂが上記支持枠１２４によって下方から支持された状態とされている。さらに、プランジャー１２３の表面（上面）には中央突起１２３ｃが形成され、この中央突起１２３ｃがスイッチ１２５を動作させるようになっている。
【００２０】
本実施形態では、保持ケース１２１は上方が開口した形状を有し、その上部開口を支持枠１２４が蓋となって閉鎖する構造を有する。支持枠１２４は球体１２２の上方において外周部から内側へフランジ状に張り出した張出枠部１２４ａを有し、この張出枠部１２４ａが上記プランジャー１２３の鍔部１２３ｂを支持している。ここで、相互に接触する鍔部１２３ｂの下面及び張出枠部１２４ａの上面は共に平坦に構成されている。また、支持枠１２４は、張出枠部１２４ａの上方に設けられた挿通固定部１２４ｂにおいてスイッチ１２５を保持している。スイッチ１２５は外部から挿通固定部１２４ｂを貫通して支持枠１２４の内部に挿入された状態に保持された接点ばね１２５Ａと１２５Ｂを有している。接点ばね１２５Ａ及び１２５Ｂは支持枠１２４に保持固定された中間部から内側へそれぞれ伸び、上記プランジャー１２３の中央突起１２３ｃの上方位置に自由端としての接点部１２５Ａａ，１２５Ｂａを有する。これらの接点部１２５Ａａと１２５Ｂａは上下に対向配置されるように位置決めされている。また、接点ばね１２５Ａ及び１２５Ｂは支持枠１２４の外側へ導出された接続部１２５Ａｂ、１２５Ｂｂを有しており、これらの接続部１２５Ａｂ、１２５Ｂｂは外部の検出回路等に接続される。なお、支持枠１２４の上端中央には上記吊り下げ軸１１５に連結される取り付け部１２４ｃが設けられている。
【００２１】
本実施形態において、プランジャー１２３の鍔部１２３ｂは支持枠１２４の張出枠部１２４ａ上に載置され、上下方向には勿論のこと、半径方向にも移動可能な（拘束されていない）状態で支持されている。このようにプランジャー１２３を移動可能に配置することで、プランジャー１２３の動作抵抗を低減することができるため、球体１２２の転動抵抗を低減できる。また、プランジャー１２３や支持枠１２４の形状も簡易なもので足りるので、部品加工や組み立て作業も容易であるから、製造コストを低減できる。
【００２２】
本実施形態では、球体１２２が定位置から周囲に転動するとプランジャー１２３の転動方向の外周部が上方へ押し上げられて傾動姿勢となるので、中央突起１２３ｃが反対側の外周部よりも上昇し、それによって接点ばね１２５Ａの接点部１２５Ａａが接点ばね１２５Ｂの接点部１２５Ｂａに当接し、接点が閉鎖される。このように、本実施形態ではプランジャー１２３に環状の当接部１２３ａが一体的に設けられているので、複数の小球を用いる場合に比べて、接点構造をきわめて簡易に構成することができる。
【００２３】
図３（ａ）及び（ｂ）はプランジャー１２３の外周部の支持枠１２４の張出枠部１２４ａによる支持構造を示す拡大部分断面図である。図３(ａ)に示すように、当接部１２３ａの先端の表面は凸曲面１２３ｓとなっているため、球体１２２が定位置から周囲の或る方位へと転動し、プランジャー１２３の当接部１２３ａに当接したとき、球体１２２と当接部１２３ａの接触態様は基本的には点接触となる。これは、図示例の場合、定位置にある球体１２２と当接部１２３ａとが非接触に保たれ、球体１２２が多少でも転動してはじめて当接部１２３ａに当接するように構成されているため、当接部１２３ａの垂直軸線Ｘ周りの曲率が球体１２２の当接高さの曲率よりも大きくなっているからである。
【００２４】
なお、本発明は、定位置にある球体１２２にプランジャー１２３の当接部１２３ａが接触している場合を排除するものではなく、このような場合でも半径方向の断面で見たときには点接触となるので、凹曲面状の当接部を有するプランジャーを用いるときに比べれば後述する摩擦力を低減することができるため、検出感度の向上効果を得ることが可能である。ただし、本実施形態では、定位置にある球体１２２がプランジャー１２３に接触しないように構成することで、球体１２２の初期の転動抵抗を低減することができ、検出感度を高めている。
【００２５】
本実施形態では、当接部１２３ａの凸曲面１２３ｓが半径方向に沿って球体１２２の表面曲率より大きな曲率を備えているので、球体１２２が転動したときに凸曲面１２３ａに当接することで、プランジャー１２３が効率的に斜め上方へ押圧され、特に、転動量が小さいときでもプランジャー１２３が確実に傾動しやすくなる。すなわち、プランジャー１２３が球体１２２から受ける応力Ｆの向きは球体１２２及び当接部１２３ａの当接点の接平面と直交する方向になり、球体１２２の転動方向Ｓの応力成分Ｆｓは従来構造よりも小さくなり、しかも、球体１２２の転動量が増加すると急激に減少する。したがって、プランジャー１２３は球体１２２から受ける応力Ｆによって効率的に動作する。
【００２６】
また、凸曲面１２３ｓは、少なくとも当接部１２３ａにおける球体１２２に当接可能な表面領域内であって、しかも、半径方向内側から頂点部までの範囲において形成されているので、球体１２２の転動時においてプランジャー１２３をスムーズに動作させることができる。なお、図示例の凸曲面１２３ｓは上記範囲を越えて形成され、当接部１２３ａの先端全体が凸曲面１２３ｓとなっている。
【００２７】
さらに、上記のように球体１２２と当接部１２３ａの接触面積が小さいことから球体１２２の回転による摩擦力Ｍも低減される。ここで、当該摩擦力Ｍは球体１２２の転動時の回転方向Ｒに沿って生ずるから、プランジャー１２３を上方へ押し上げるのではなく、側方若しくは斜め下方へ引き込む力となるので、プランジャー１２３の傾動を妨げ、球体１２２の転動抵抗を増加させてしまう。本実施形態では、当該摩擦力Ｍも低減されるため、プランジャー１２３は球体１２２からの応力Ｆで効率的に上方へ押し上げられる。
【００２８】
図示例では当接部１２３ａの先端は半径方向の断面が半円状になるように構成され、半径方向に見て円弧状の輪郭を有するものとなっているので、球体１２２によるプランジャー１２３の傾動をよりスムーズかつ確実に実現することができるとともに、頂点より半径方向内側に向かうほど傾斜角度が大きくなるので、球体１２２の転動量が小さいときのプランジャー１２３の傾動量を従来より大きくすることができることから、検出感度が向上する。ただし、このような円弧状の表面形状に限らず、その表面が半径方向に凸曲線状の輪郭を有する態様で凸曲面状に構成されていれば、半径方向に見て楕円状、放物線状などの種々の輪郭を有する任意の凸曲面形状であってもよい。また、凸曲面状の表面形状が設けられるのは、少なくとも球体１２２が当接しうる表面領域内で、かつ、半径方向内側から頂点までの範囲であればよい。この範囲が球体１２２の転動によるプランジャー１２３を動作させるための実質的に有効な当接範囲だからである。
【００２９】
本実施形態では、当接部１２３ａの基部外側部に、垂直な上部垂直面１２３ｋと、この上部垂直面１２３ｋに引き続いてその下方に形成された下方に傾斜した下部傾斜面１２３ｔとが設けられている。ここで、図示例では下部傾斜面１２３ｔは上記範囲を越えて形成された凸曲面１２３ｓの一部で構成されている。また、下部傾斜面１２３ｔは、基部外側部のうちの支持枠１２４の内縁部に当接する当接部位である。
【００３０】
一方、支持枠１２４の張出枠部１２４ａの内縁部の上部には面取によってカットされたカット部１２４ｋが設けられ、これによって当該内縁部においてカット部１２４ｋの下方に設けられた内側端部１２４ｔが鍔部１２３ｂの底面より離間するように構成されている。ここで、内側端部１２４ｔは、内縁部のうちのプランジャー１２３の当接部１２３ａに当接する当接部位である。そして、プランジャー１２３の鍔部１２３ｂが張出枠部１２４ａの上面に支持された状態で水平方向に移動したとしても、内側端部１２４ｔは上部垂直面１２３ｋには当接せず、下部傾斜面１２３ｔに当接するようになっている。
【００３１】
したがって、プランジャー１２３が水平移動したとき、内側端部１２４ｔ（図示例では垂直面で構成される）が下部傾斜面１２３ｔに当接することにより、プランジャー１２３は張出枠部１２４ａの内縁部から上方へ応力を受けるため、その傾動動作が促進される。もちろん、球体１２２の転動により当接部１２３ａがやや持ち上げられた状態で内側端部１２４ｔに当接すれば、内側端部１２４ｔは下部傾斜面１２３ｔのより下方にある部分に当接し、当該当接部位の傾斜角度はさらに大きくなるので、プランジャー１２３が張出枠部１２４ａから受ける上方へ向かう応力成分はさらに大きくなる。したがって、何らかの理由により球体１２２から受ける応力でプランジャー１２３の水平方向の移動成分が大きくなった場合でも、プランジャー１２３は支障なく傾動するので、検出機能の信頼性を高めることができる。
【００３２】
上記の作用効果は図３（ｂ）に示す構造でも実現できる。この構造では、張出枠部１２４ａの内縁部が全体として半径方向内側へ突出する凸曲面状（半径方向に沿った断面が半円状）に構成されている。したがって、図３(ａ)に示す上記構造と同様に、内縁部における最も突出した内側端部（図示頂点付近）１２４ｐが張出枠部１２４ａの上面より離間することとなり、その結果、当該内縁部は当接部１２３ａの上部垂直面１２３ｋには当接しなくなり、必ず下部傾斜面１２３ｔに当接することとなるので、上記と同様の効果を得ることができる。
【００３３】
なお、上記の各例では当接部１２３ａの基部外側部である下部傾斜面１２３ｔが下方へ傾斜した面で構成されているが、一般的には、プランジャー１２３が半径方向に移動したときに支持枠１２４の内縁部と当接部１２３ａの基部外側部が相互に当接可能に構成され、内縁部の基部外側部に対する当接部位（上記内縁端部１２４ｔ、１２４ｐに相当する部分。）が上方に傾斜しているか、或いは、基部外側部の内縁部に対する当接部位（上記下側傾斜面１２３ｔに相当する部分。）が下方に傾斜していればよい。このように構成されていれば、プランジャー１２３の当接部１２３ａの基部外側部が支持枠１２４の張出枠部１２４ａの内縁部に当接したときに必ず上方へ向かう応力を受けるため、プランジャー１２３の傾動動作が妨げられることがなく、却って傾動動作が促進されるからである。
【００３４】
図４（ａ)及び（ｂ）は、球体１２２の直径Ｄ２と、プランジャー１２３の当接部１２３ａの（内縁位置の）直径Ｄ３との関係を示す説明図である。図４（ａ）はＤ３<Ｄ２／２の関係にあるときの図であり、この場合には直径Ｄ３が相対的に小さいことから、転動時の球体１２２の上下動が小さければプランジャー１２３の傾動角度は小さい。図４（ｂ）はＤ３>Ｄ２／２の関係にあるときの図であり、この場合にはプランジャー１２３の傾動角度は図４（ａ）の場合に比べて相対的に大きくなる。なお、図示例では転動量ΔＳがともに同じである場合を示してある。上記のように、当接部１２３ａの直径Ｄ３は、Ｄ２／２<Ｄ３<Ｄ２の範囲にあることが好ましい。
【００３５】
図５（ａ）及び（ｂ）はプランジャーの他の構成例を示す概略説明図である。上記のプランジャー１２３は全体として円盤状に構成され、その裏面上に環状の当接部１２３ａが設けられたものであるが、本発明のプランジャーの全体形状は円盤状に限らず、球体１２２に当接する環状の当接部を有するものであれば、種々の全体形状を有することができる。例えば、図５（ａ）のプランジャー１２３′は全体として球体１２２に沿った湾曲板状に構成されたものである。また、図５（ｂ）のプランジャー１２３″はトーラス状の当接部１２３ａ″が設けられるとともに、この当接部１２３ａ″を支持したりスイッチに接続したりする部分が上方に接続されたものである。これらの構成例では、当接部１２３ａ′、１２３ａ″の位置や形状が球体１２２によって制約を受けにくくなるため、設計の自由度が高められる。
【００３６】
なお、本発明は上記実施形態に限定されるものではなく、本発明の技術的思想の範囲内で適宜に変更することができる。例えば、本発明の感振装置は、一般的に広く用いられている感震器に限らず、種々の振動を検出するための装置として用いることができる。また、上記の制動部を持たず、感振部のみで構成される装置としても構わない。
【図面の簡単な説明】
【００３７】
【図１】本発明に係る感振装置の実施形態の縦断面（半径方向に沿った断面）を示す断面斜視図。
【図２】同感振装置のプランジャー近傍の構造を示す縦断面図。
【図３】プランジャーの支持構造を半径方向に沿った断面で示す拡大部分断面図（ａ）及び（ｂ）。
【図４】球体とプランジャーの関係を示す概略説明図（ａ）及び（ｂ）。
【図５】プランジャーの他の構成例を示す概略説明図（ａ）及び（ｂ）。
【符号の説明】
【００３８】
１００…感振装置、１１０…制動部、１２０…感振部、１２１…保持ケース、１２２…球体、１２３…プランジャー、１２３ａ…当接部、１２３ｓ…凸曲面、１２３ｔ…下部傾斜面、１２３ｂ…鍔部、１２３ｃ…中央突起、１２４…支持枠、１２４ａ…張出枠部、１２４ｔ…内側端部、１２５…スイッチ
【図１】
2008057978.tif 000003
【図２】
2008057978.tif 000004
【図３】
2008057978.tif 000005
【図４】
2008057978.tif 000006
【図５】
2008057978.tif 000007